(57)【要約】【課題】バッテリパック側の２次電池収納用の２つに分離した各ハウジング内の温度検知をマイコンで行う携帯型電気機器において、マイコンの製造コストを抑え、かつ、スイッチ切替制御を簡単にする。【解決手段】装置本体３は、マイコン１０と、ハウジング４、５内の各サーミスタ端子２２、２３から入力された電圧を切替えて出力するアナログスイッチＩＣ１４と、アナログスイッチＩＣ１４からの電圧を入力するためのＡ／Ｄ変換機能を有する１つの入力ポート１０ａとを有する。マイコン１０は、所定周期でハイ及びローの制御信号によりアナログスイッチＩＣ１４を切替え、ハウジング４、５内の温度を検知し温度監視処理を行う。これにより、Ａ／Ｄ変換用の入力ポート１０ａが１つでよく、また、制御信号がハイ及びローのみの信号でよいので、マイコンの製造コストを抑え、かつ、スイッチ切替制御を簡単にすることができる。【選択図】図１
2012244853.tif 000002
【特許請求の範囲】
【請求項１】
装置本体と、装置の携帯時に前記装置本体に電力を供給するバッテリパックとを備え、
前記バッテリパックは、２次電池を収納する２つに分離したハウジングを有する携帯型電気機器において、
前記各ハウジング内には、それぞれ該各ハウジング内の温度の検知用のサーミスタが配設されており、
前記バッテリパックは、２つのサーミスタ端子を有し、これらのサーミスタ端子の各々は、前記各サーミスタの各々に接続され、前記各ハウジング内の温度に応じた各サーミスタの抵抗値に対応した値の電圧を出力し、
前記装置本体は、
前記各サーミスタ端子の各々から入力された電圧を基に温度を検知し温度監視処理を行うと共に、装置全体を制御するマイクロコントローラ（以下、マイコンと略す）と、
前記各サーミスタ端子と接続され、これらサーミスタ端子から入力された電圧を前記マイコンからの制御信号により選択的に出力するスイッチ回路と、を備え、
前記マイコンは、前記スイッチ回路からの電圧を入力するためのＡ／Ｄ変換機能を有する１つの入力ポートと、前記スイッチ回路に制御信号を出力するための汎用の出力ポートとを有し、前記出力ポートを介して前記スイッチ回路にハイ（Ｈｉｇｈ）及びロー（Ｌｏｗ）の制御信号を出力することにより、前記２つのサーミスタ端子の各々から入力された電圧のうちのいずれの電圧を前記スイッチ回路から前記入力ポートへ入力するかを切替えることを特徴とする携帯型電気機器。
【請求項２】
前記マイコンは、前記ハイ及びローの制御信号を所定の周期で交互に切替えることを特徴とする請求項１に記載の携帯型電気機器。
【請求項３】
前記マイコンは、前記所定の周期を調整可能とすることを特徴とする請求項２に記載の携帯型電気機器。
【発明の詳細な説明】
【技術分野】
【０００１】
本発明は、装置本体に電力を供給するバッテリパックを備えた携帯型光ディスク再生装
置等の携帯型電気機器に関する。
【背景技術】
【０００２】
近年、携帯型光ディスク再生装置や携帯電話等の携帯型電気機器が増えている。携帯型電気機器では、ＮｉＣｄ（ニッケルカドミウム）電池等の充電式の２次電池を使用することが多い。この２次電池は、充放電時に高温になるので、液漏れや発火を起こす可能性がある。このため、従来の携帯型電気機器は、安全性の観点から、バッテリパック側の２次電池収納用のハウジング内の温度を検知して、ハウジング内や乾電池自体が所定の温度以上にならないように監視している（例えば、特許文献１参照）。具体的には、従来の携帯型電気機器では、例えば２次電池を収納するハウジング内にサーミスタ等の温度検出用の素子を配して、この温度検出用の素子からの出力値をマイクロコントローラ（以下、マイコンと略す）等の温度検知回路に入力し、マイコン等の温度検知回路が、上記の温度検出用の素子からの出力値に基づいて、ハウジング内や乾電池自体が所定の温度以上になっているか否かを検知するようにしている。
【０００３】
上記の従来の携帯型電気機器において、装置の薄型化、小型化を図るために、バッテリパック側の２次電池収納用のハウジングを複数に分離した方がよい場合がある。
【０００４】
ところが、上記の従来のハウジング内の温度の検知方法を、バッテリパック側の２次電池収納用のハウジングを複数に分離した携帯型電気機器に適用した場合には、分離したそれぞれのハウジング内にサーミスタ等の温度検出用素子を配置する必要があるだけではなく、マイコン等の温度検知回路側に、分離したそれぞれのハウジング内の温度検出用素子からの電圧等の出力を入力するためのポート（温度検知用の入力ポート）が複数必要になり、マイコン等の温度検知回路の製造コストが高くなるという問題があった。
【０００５】
ところで、直列接続された第１及び第２のサーミスタと、第２のサーミスタに並列接続されたスイッチング素子とを備え、スイッチング素子をオン、オフすることにより、各サーミスタの周辺の温度検知を行うバッテリパックの温度検知装置が知られている（例えば、特許文献２参照）。この温度検知装置は、温度検知用のサーミスタを制御する端子を１つしか持たない標準的なマイコンの場合であっても、複数のサーミスタを用いて各サーミスタの周辺の温度を検知するようにしたものである。しかしながら、この温度検知装置においては、スイッチ切替えにより、先ず第１のサーミスタの抵抗値を検出し、この抵抗値と、その後検出したサーミスタ直列接続回路の両端電圧とを基に、マイコンで換算処理して第２のサーミスタの抵抗値を算出し温度検知を行っている。このため、マイコンによるスイッチ切替えの制御及び温度検知処理が複雑になっている。
【０００６】
また、複数の電池モジュール又は複数の素電池の温度を複数の温度センサで検出し、各温度センサから出力される温度信号をマルチプレクサに入力し、マイコンによるマルチプレクサの制御により各温度信号を切替えてＡ／Ｄ変換回路に出力し、この出力をマイコンの入力ポートに入力して電池の温度検知を行う温度検知装置が知られている（例えば、特許文献３、４参照）。しかしながら、このような温度検知装置においては、マルチプレクサ内の複数のスイッチをマイコンにより選択的に又は順番を決めて切替えるので、マイコンのスイッチ切替制御が複雑となる。
【先行技術文献】
【特許文献】
【０００７】
【特許文献１】特開２０００−３２６７７号公報
【特許文献２】特開２００５−２２４０７１号公報
【特許文献３】特開２００８−１５１５３５号公報
【特許文献４】特開２００９−１０９２７１号公報
【発明の概要】
【発明が解決しようとする課題】
【０００８】
本発明は、上記課題を解決するものであり、バッテリパック側の２次電池収納用の２つに分離した各ハウジング内の温度検知をマイコンにより行う携帯型電気機器において、マイコンの温度検知用のＡ／Ｄ変換機能付き入力ポートの数を１つにして、マイコンの製造コストを抑え、かつ、マイコンによるスイッチ切替制御を簡単に行うことができる携帯型電気機器を提供することを目的とする。
【課題を解決するための手段】
【０００９】
上記課題を解決するために、請求項１の発明は、装置本体と、装置の携帯時に前記装置本体に電力を供給するバッテリパックとを備え、前記バッテリパックは、２次電池を収納する２つに分離したハウジングを有する携帯型電気機器において、前記各ハウジング内には、それぞれ該各ハウジング内の温度の検知用のサーミスタが配設されており、前記バッテリパックは、２つのサーミスタ端子を有し、これらのサーミスタ端子の各々は、前記各サーミスタの各々に接続され、前記各ハウジング内の温度に応じた各サーミスタの抵抗値に対応した値の電圧を出力し、前記装置本体は、前記各サーミスタ端子の各々から入力された電圧を基に温度を検知し温度監視処理を行うと共に、装置全体を制御するマイクロコントローラ（以下、マイコンと略す）と、前記各サーミスタ端子と接続され、これらサーミスタ端子から入力された電圧を前記マイコンからの制御信号により選択的に出力するスイッチ回路と、を備え、前記マイコンは、前記スイッチ回路からの電圧を入力するためのＡ／Ｄ変換機能を有する１つの入力ポートと、前記スイッチ回路に制御信号を出力するための汎用の出力ポートとを有し、前記出力ポートを介して前記スイッチ回路にハイ（Ｈｉｇｈ）及びロー（Ｌｏｗ）の制御信号を出力することにより、前記２つのサーミスタ端子の各々から入力された電圧のうちのいずれの電圧を前記スイッチ回路から前記入力ポートへ入力するかを切替えるものである。
【００１０】
請求項２の発明は、請求項１に記載の携帯型電気機器において、前記マイコンは、前記ハイ及びローの制御信号を所定の周期で交互に切替えるものである。
【００１１】
請求項３の発明は、請求項２に記載の携帯型電気機器において、前記マイコンは、前記所定の周期を調整可能とするものである。
【発明の効果】
【００１２】
請求項１の発明によれば、Ａ／Ｄ変換機能を有する１つの入力ポートに入力される電圧に基いて、２つのハウジング内の温度を検知することができるので、マイコンをコストダウンでき、かつ、ハイ、ローの制御信号だけでスイッチ回路を切替えるので、マイコンによるスイッチ切替制御を簡単に行うことができる。
【００１３】
請求項２の発明によれば、２つのサーミスタの温度を同じ時間間隔で切替えて検知することができるので、２つのハウジング内の温度検知の頻度にバラツキが生じないようにすることができる。
【００１４】
請求項３の発明によれば、ハイ及びローの制御信号の所定の周期を、スイッチ回路やＡ／Ｄ変換機能の応答特性に合わせて調整することができるので、安定に信頼性良く温度検知することができる。
【図面の簡単な説明】
【００１５】
【図１】本発明の一実施形態に係る光ディスク再生装置の電気的ブロック構成図。
【図２】ハウジングを複数に分離する必要性のあるケースの光ディスク再生装置の分解斜視図。
【図３】図２中の装置本体にバッテリパックを装着した状態を示す斜視図。
【図４】上記実施形態の変形例におけるバッテリパックの電気的ブロック構成図。
【発明を実施するための形態】
【００１６】
以下、本発明の一実施形態について、図面を参照して説明する。以下の実施形態では、本発明を携帯型光ディスク再生装置に適用した場合の例について説明する。なお、以下に記載した実施形態は、本発明を網羅するものではなく、本発明は、下記の形態だけに限定されない。
【００１７】
図１は、本実施形態による携帯型光ディスク再生装置（以下、光ディスク再生装置と略す）（請求項における携帯型電気機器）の電気的ブロック構成を示す。光ディスク再生装置１は、装置本体３と、装置の携帯時に装置本体３に電力を供給するバッテリパック２と、装置本体３からの電力供給を受けて映像を表示する液晶表示部１３を備えている。
【００１８】
上記のバッテリパック２は、２次電池４１、５１を収納するための２つに分離したハウジング４、５を有している。これらの各ハウジング４、５内には、それぞれ各ハウジング４、５内の温度の検知用のサーミスタ４２、５２が配設されている。また、バッテリパック２は、ハウジング４、５内に収納されている全ての２次電池４１、５１についての共通の充電回路や充放電制御回路が形成された回路基板６を備えている。バッテリパック２の端部（回路基板６の端部）には、回路基板６を介して直列接続された２次電池４１、５１の両端の正極端子と負極端子とに接続された、バッテリパック側の正極端子２１と負極端子２４とが設けられている。また、バッテリパック２の端部（回路基板６の端部）には、回路基板６を介してハウジング４内のサーミスタ４２の一端に接続されて、ハウジング４内の温度に応じたサーミスタ４２の抵抗値に対応した値の電圧を出力するサーミスタ端子２２と、回路基板６を介してハウジング５内のサーミスタ５２の一端に接続されて、ハウジング５内の温度に応じたサーミスタ５２の抵抗値に対応した値の電圧を出力するサーミスタ端子２３とが設けられている。
【００１９】
ここで、サーミスタ４２、５２の抵抗値は、ハウジング４、５内の温度に応じて変化するので、サーミスタ４２、５２に一定の電流を流した場合に、サーミスタ４２、５２の両端に生じる電位差も、ハウジング４、５内の温度に応じて変化する。詳細については後述するが、本実施形態では、サーミスタ４２、５２の両端に生じる電位差（ハウジング４、５内の温度に応じて変化する電位差）に相当する値の電圧をサーミスタ端子２２、２３から取り出して、これらの電圧に基づいて、複数に分離したハウジング４、５内の温度監視処理を行っている。ここでは、サーミスタ４２、５２は、各一端が接地され、各他端には電源回路１１から一定のＤＣ電圧が既知の抵抗値の抵抗（不図示）を介して給電され、これらの直列抵抗間の分圧抵抗を検出して温度を検知するものとする。本実施形態では、サーミスタ４２、５２の温度−抵抗値特性は同じであるものとする。言い換えると、本実施形態では、同じ温度で同じ値の電流を流したときに、サーミスタ４２、５２の両端に生じる電位差（サーミスタ端子２２、２３から出力される電圧の値）は同じであるものとする。また、本実施形態で用いられるサーミスタ４２、５２は、いわゆるＮＴＣ（Negative Temperature Coefficient）サーミスタであり、温度の上昇に応じて抵抗値が小さくなるという温度−抵抗値特性を有している。
【００２０】
また、装置本体３は、装置全体の制御用のマイクロコントローラ（以下、マイコンと略す）１０（温度検知回路）と、電源プラグ３０を介して入力された商用電源からの交流電力を直流電力に変換して装置本体３の各部や液晶表示部１３に供給する電源回路１１と、光ディスクに記録された映像を再生する光ディスク再生部１２とを備えている。電源回路１１は、ユーザによる装置の携帯時には、バッテリパック２から電力を供給される。
【００２１】
また、装置本体３は、上記のバッテリパック２側の正極端子２１と接続された装置本体側の正極端子３１と、バッテリパック２側のサーミスタ端子２２と接続された装置本体側のサーミスタ端子３２と、バッテリパック２側のサーミスタ端子２３と接続された装置本体側のサーミスタ端子３３と、バッテリパック２側の負極端子２４と接続された装置本体側の負極端子３４とを有している。バッテリパック２側の２次電池４１、５１の充電時には、本体側の電源回路１１から、装置本体側の正極端子３１とバッテリパック２側の正極端子２１及び回路基板６とを介して、２次電池４１、５１への電力供給（２次電池４１、５１の充電）が行われ、ユーザによる装置の携帯時には、バッテリパック２側の２次電池４１、５１から、バッテリパック２側の正極端子２１及び回路基板６と装置本体側の正極端子３１とを介して、本体側の電源回路１１への電力供給（２次電池４１、５１の放電）が行われる。
【００２２】
また、装置本体３は、バッテリパック２側のサーミスタ端子２２、２３の各々から（装置本体側のサーミスタ端子３２、３３を介して）入力される電圧を、マイコン１０から入力されるハイ（Ｈｉｇｈ（Ｈ））又はロー（Ｌｏｗ（Ｌ））の電圧の制御信号により時間的に切替えて出力するアナログスイッチＩＣ１４（スイッチ回路）を有している。アナログスイッチＩＣ１４は、マイコン１０から入力された制御電圧がロー（Ｌ）のときには、バッテリパック２側のサーミスタ端子２２から入力された電圧を出力し、マイコン１０からの制御電圧の値がハイ（Ｈ）のときには、バッテリパック２側のサーミスタ端子２３から入力された電圧を出力する。
【００２３】
上記のマイコン１０は、制御信号を所定の時間間隔でハイ（Ｈ）又はロー（Ｌ）に切替えるためのタイマ１５と、タイマ１５の時間を設定するための設定部１６と、アナログスイッチＩＣ１４からの電圧を入力するためのＡ／Ｄ変換機能を有する入力ポート１０ａと、アナログスイッチＩＣ１４にハイ（Ｈ）又はロー（Ｌ）の制御信号を出力するための汎用の出力ポート１０ｂとを有する。マイコン１０は、その入力ポート１０ａに入力された電圧に基づいて、ハウジング４、５内の温度を検知すると共に、この温度検知結果に基づいて、バッテリパック２の（より詳細にはハウジング４、５内の）温度監視処理を行う。また、マイコン１０は、ハイ（Ｈ）及びロー（Ｌ）の制御信号を設定部１６により設定される所定の周期で交互に切替えるようになっている。また、この所定の周期は、設定部１６によりユーザが調整可能となっており、この調整により、例えばスイッチ切替の周期をマイコン内のＡ／Ｄ変換のためのサンプリング周期に合わせるなどの設定が可能である。
【００２４】
次に、本光ディスク再生装置１の温度検知処理における各回路の動作について説明する。ここでは、設定部１６により、アナログスイッチＩＣ１４をハイ（Ｈ）とロー（Ｌ）で切替えるための所定の切替周期を、例えば１秒に設定している。マイコン１０からの制御電圧がロー（Ｌ）のときには、アナログスイッチＩＣ１４は、バッテリパック２側のサーミスタ端子２２から入力された電圧（ハウジング４内の温度に応じた電圧）を選択的にマイコン１０の入力ポート１０ａへ出力する。マイコン１０は、サーミスタ端子２２からアナログスイッチＩＣ１４を介して入力ポート１０ａに入力された、ハウジング４内の温度に応じた電圧に基づいて、ハウジング４内の温度を検知（判定）する。そして、マイコン１０は、この温度検知結果に基づいて、バッテリパック２の温度監視処理を行う。具体的には、マイコン１０は、ハウジング４内の温度が所定の温度よりも高くなると、液晶表示部１３への警告メッセージの表示、不図示のスピーカによる警告音の出力、或いはバッテリパック２側の２次電池４１、５１への充電又は放電の停止等の処理を実行する。
【００２５】
これに対して、マイコン１０からの制御電圧がハイ（Ｈ）のときには、アナログスイッチＩＣ１４は、バッテリパック２側のハウジング５内に配されたサーミスタ５２と接続されたサーミスタ端子２３から入力された電圧（ハウジング５内の温度に応じた電圧）を選択的にマイコン１０の入力ポート１０ａへ出力する。マイコン１０は、上記と同様に、入力ポート１０ａに入力された、ハウジング５内の温度に応じた電圧に基づいて、ハウジング５内の温度を検知（判定）し、この温度検知結果に基づいてバッテリパック２の温度監視処理を行う。
【００２６】
上記のように、本実施形態の光ディスク再生装置１によれば、マイコン１０は、入力ポート１０ａに入力された電圧をハイ（Ｈ）及びロー（Ｌ）の制御信号による時分割により検出して、２つに分離したハウジング４、５内の各温度を検知することができる。従って、バッテリパック２側の２次電池収納用のハウジングを２つに分離した構成でありながら、マイコン１０における温度検知用のＡ／Ｄ変換機能付きの入力ポートの数を１つにすることができる。これにより、マイコン１０の製造コストを抑えることができ、かつ、アナログスイッチＩＣ１４がハイ（Ｈ）及びロー（Ｌ）の制御信号だけで切替えられるので、マイコン１０による制御信号を単純にし、スイッチ切替制御を簡単に行うことができる。
【００２７】
また、アナログスイッチＩＣ１４は、１回路２端子型のＩＣスイッチでよく、１つの制御端子への制御信号で２つの出力を切替えて取り出すことができるので、マルチプレクサのように内蔵するスイッチの１つ１つに制御信号を加え、各スイッチからそれぞれ出力する必要がなく、切替えが簡単で、低コストにできる。また、マイコン１０は、Ａ／Ｄ変換機能を内蔵しているので、別途Ａ／Ｄコンバータ等を外付けする必要がなく、回路基板６の面積が少なくて済み、小型化できる。
【００２８】
また、２つのサーミスタ４２、５２からの出力を同じ周期で切替えて検知することができるので、２つのハウジング４、５内の温度検知の頻度にバラツキが生じないようにすることができる。また、ハイ（Ｈ）及びロー（Ｌ）の制御信号の周期を、アナログスイッチＩＣ１４やマイコン１０におけるＡ／Ｄ変換機能の応答特性に合わせて好適に調整し設定することができるので、安定に信頼性良く温度検知を行うことができる。
【００２９】
次に、上記のように、バッテリパック２側の２次電池収納用のハウジングを複数に分離する必要性のあるケースの例について、図２及び図３を参照して説明する。図２は、上記のハウジングを複数に分離する必要性のあるケースに相当する光ディスク再生装置１の一例の分解斜視図である。以下の説明において、前（方向）、後（方向）、左（方向）、右（方向）とは、それぞれ図中の矢印で示す前後左右の方向に相当する。
【００３０】
図２に示される光ディスク再生装置１は、主に、光ディスク再生部１２や装置全体の制御用の制御基板６２を有する装置本体３と、液晶表示部１３とから構成されている。装置本体３と液晶表示部１３とは、２軸ヒンジ６５により回転回動自在（回転開閉自在）に連結される。すなわち、２軸ヒンジ６５は、装置本体３と液晶表示部１３とを連結し、装置本体３は、２軸ヒンジ６５を用いて液晶表示部１３を回転回動自在に支持する。ここで、回転とは、液晶表示部１３の水平方向への回転を意味し、回動とは、液晶表示部１３の（図中の矢印で示される）前後方向への回転（２軸ヒンジ６５の水平方向の回転軸を中心とした回転）を意味する。ユーザは、光ディスク再生装置１を携帯する時には、２軸ヒンジ６５を水平方向の回転軸を中心として回動させることにより、液晶表示部１３を、前方向に回転させ、液晶表示部１３を装置本体３の上に折り重ねた状態にして、光ディスク再生装置１を持ち運ぶ。
【００３１】
上記の２軸ヒンジ６５は、ヒンジ機構部６５ａと、２軸ヒンジ６５を装置本体３側に結合するための結合部６５ｂとを有している。装置本体３は、その後端部の中央に、２軸ヒンジ６５の結合部６５ｂの取り付けと収納を行うためのヒンジ取付収納部６７を有している。このヒンジ取付収納部６７内には、装置本体３側と液晶表示部１３側とを電気的に接続するための電気配線も格納される。この電気配線は、２軸ヒンジ６５の内部を挿通して、装置本体３側と液晶表示部１３側とを電気的に接続する。２軸ヒンジ６５の装置本体３への取り付けと、装置本体３側への電気配線の接続が完了した後は、ヒンジ取付収納部６７の上部は、カバー６４により覆われる。
【００３２】
また、装置本体３は、光ディスク再生部１２と光ディスク再生部１２に装着された光ディスクとを保護するための内蓋６３を備えている。この内蓋６３は、光ディスク再生装置１の携帯時や、光ディスク再生部１２による映像の再生時には、閉じられて光ディスク再生部１２と光ディスク再生部１２に装着された光ディスクとを覆い、これらを保護する。
【００３３】
上記のバッテリパック２は、装置本体３の後端部に着脱され、中央部にコの字型の凹部２ａを有している。バッテリパック２は、その長手方向両端（左右端）に、２次電池４１、５１を収納する２つに分離したハウジング（ハウジング４とハウジング５）を有し、ハウジング４は、２つの円筒型の２次電池４１を収容しており、ハウジング５も、２つの円筒型の２次電池５１を収容している。また、バッテリパック２は、ハウジング４、５に収容された全ての２次電池４１、５１についての共通の充放電用の回路基板６を、凹部２ａ内に有している。この回路基板６は、端部に端子部２ｈを有しており、この端子部２ｈは、バッテリパック２の筐体外部に露出している。端子部２ｈにおける端子には、図１中の正極端子２１、負極端子２４、及びサーミスタ端子２２、２３が含まれている。
【００３４】
バッテリパック２側の凹部２ａは、装置本体３側のヒンジ取付収納部６７に対応した位置（バッテリパック２の装置本体３への装着時にヒンジ取付収納部６７の真下になる位置）に設けられており、ヒンジ取付収納部６７の左右方向の幅Ｗ２よりも大きな左右方向の幅Ｗ１を持っている。また、装置本体３は、その後端部におけるヒンジ取付収納部６７の左側と右側とに、バッテリパック２のハウジング４とハウジング５とを収納するための左収納凹部６８ａと右収納凹部６８ｂとを有している。このような構成にしたことにより、装置本体３の後端部の中央に取り付けられた２軸ヒンジ６５とバッテリパック２とを装置本体３の後部に効率よく収納して、光ディスク再生装置１全体の小型化と薄型化を図ることができる。
【００３５】
図３は、バッテリパック２を装置本体３に装着した状態を示す。この図に示されるように、上記のような構造上の工夫を施したことにより、バッテリパック２を装置本体３の後部に効率よく収納することができる。
【００３６】
また、図２に示すように、装置本体３側の左収納凹部６８ａと右収納凹部６８ｂの内側面には、いずれもバッテリパック２の装着用のガイドバー７１とガイド溝８１とが設けられている。このガイドバー７１とガイド溝８１の長手方向は、装置本体３の水平面への載置時に、水平面と平行になる方向（図中の矢印で示される前後方向）である。一方、バッテリパック２は、その左側面と右側面とに、ガイドバー７１の挿入可能なガイド溝２ｅを有している。また、バッテリパック２のハウジング４の右側面とハウジング５の左側面とには、装置本体３側のガイド溝８１に挿入可能なガイドレール９１が設けられている。さらにまた、バッテリパック２のハウジング４、ハウジング５の上面２ｆ、２ｇは、平坦であり、ガイド溝２ｅ及びガイドレール９１の長手方向と平行である。
【００３７】
上記のように、装置本体３における後端部の中央にヒンジ取付収納部６７（凸部）を設けた場合に、バッテリパック２を装置本体３の後部に効率よく収納しようとすれば、図２に示されるように、凹部２ａを挟んでハウジングを複数に分離することが最善の方法と考えられる。図２及び図３に示される構成例の光ディスク再生装置１においては、凹部２ａを挟んでハウジングを複数に（ハウジング４とハウジング５に）分離した。そして、その上で、バッテリパック２側の凹部２ａが、装置本体３側のヒンジ取付収納部６７に対応した位置に設けられ、ヒンジ取付収納部６７よりも大きな左右方向の幅を持ち、しかも、装置本体３の端部におけるヒンジ取付収納部６７の左側と右側に、バッテリパック２の各ハウジング４、５を収納するための左収納凹部６８ａと右収納凹部６８ｂを設ける構成にした。これにより、バッテリパック２を装置本体３に効率よく収納して、装置の小型化と薄型化を図ることができる。
【００３８】
図４は、上記実施形態の変形例におけるパッテリパック２の電気的ブロック構成を示す。この変形例は、パッテリパック２に内蔵される２つのハウジング４、５内の２次電池４１と２次電池５１が並列接続された場合を示し、それら２次電池４１、５１の各正極端子が回路基板６を介してバッテリパック側の正極端子２１に接続され、それらの各負極端子が回路基板６内で共に接地されている点が異なる。この場合、マイコン１０により、ハウジング４、５内の温度をそれぞれ検知し、２次電池４１と２次電池５１の温度を監視できると共に、低電圧駆動の装置における長時間使用を可能にする。
【００３９】
なお、本発明は、上記実施形態の構成に限られず、発明の趣旨を変更しない範囲で種々の変形が可能である。例えば、上記実施形態では、サーミスタとして、いわゆるＮＴＣサーミスタ（温度の上昇に応じて抵抗値が小さくなる特性を有するサーミスタ）を用いたが、いわゆるＰＴＣ（Positive Temperature Coefficient）サーミスタ（温度の上昇に応じて抵抗値が大きくなる特性を有するサーミスタ）を用いてもよい。また、マイコンによる温度検知を間欠的に、かつ、周期を長くして節電するようにしてもよい。また、上記実施形態では、本発明を携帯型の光ディスク再生装置１に適用した場合の例を示したが、本発明を光ディスク再生装置以外の携帯型の再生装置に適用してもよいし、携帯電話等の、再生装置以外の携帯型電気機器に適用してもよい。
【符号の説明】
【００４０】
１    光ディスク再生装置（携帯型電気機器）
２    バッテリパック
３    装置本体
４    ハウジング
５    ハウジング
１０  マイコン（マイクロコントローラ）
１０ａ  入力ポート
１０ｂ  出力ポート
１４  アナログスイッチＩＣ（スイッチ回路）
２２  サーミスタ端子
２３  サーミスタ端子
４１  ２次電池
４２  サーミスタ
５１  ２次電池
５２  サーミスタ
【図１】
2012244853.tif 000003
【図２】
2012244853.tif 000004
【図３】
2012244853.tif 000005
【図４】
2012244853.tif 000006